(57)【要約】【課題】異なる撮影台を用いて撮影された画像情報の倍率を一致させることができる放射線変換器、撮影台及び放射線画像撮影システムを提供する。【解決手段】放射線画像撮影システム１０は、被写体５６を透過した放射線を検出して画像情報に変換する電子カセッテ６０が設置される撮影台３２を特定する装填検出部６２と、撮影台３２に設置される前記放射線変換器の撮影位置情報を保持する撮影位置情報メモリ１０６と、特定された撮影台３２の前記撮影位置情報に基づいて、前記画像情報の画像倍率を調整する倍率調整部１１０とを備える。異なる撮影台を用いて撮影された画像情報について、撮影位置情報に基づいて撮影倍率を一致させることにより、放射線画像を容易に比較して適切な評価を行うことができる。【選択図】図２
2010046130.tif 000002
【特許請求の範囲】
【請求項１】
撮影台に設置され、被写体を透過した放射線を検出して画像情報に変換する放射線変換器の前記被写体に対する撮影位置情報を保持する撮影位置情報保持手段と、
前記撮影位置情報保持手段より前記撮影位置情報を取得する撮影位置情報取得手段と、
取得した前記撮影位置情報に基づいて、前記画像情報の画像倍率を調整する倍率調整手段と、
を備えることを特徴とする放射線画像撮影システム。
【請求項２】
請求項１記載の放射線画像撮影システムにおいて、
前記撮影位置情報取得手段が、前記放射線変換器が設置される前記撮影台を特定する撮影台特定手段である
ことを特徴とする放射線画像撮影システム。
【請求項３】
請求項２記載の放射線画像撮影システムにおいて、
前記放射線変換器が前記撮影台特定手段を有する
ことを特徴とする放射線画像撮影システム。
【請求項４】
請求項３記載の放射線画像撮影システムにおいて、
前記放射線変換器が前記倍率調整手段を有する
ことを特徴とする放射線画像撮影システム。
【請求項５】
請求項１記載の放射線画像撮影システムにおいて、
前記放射線変換器から取得した前記画像情報を処理する処理装置を備え、
前記処理装置が前記撮影位置情報取得手段及び前記倍率調整手段を有する
ことを特徴とする放射線画像撮影システム。
【請求項６】
被写体を透過した放射線を検出して画像情報に変換する放射線変換器において、
撮影台に設置される前記放射線変換器の前記被写体に対する撮影位置情報を保持する撮影位置情報保持手段を備え、
前記画像情報の画像倍率が前記撮影位置情報によって調整されることを特徴とする放射線変換器。
【請求項７】
請求項６記載の放射線変換器において、
前記画像情報の画像倍率を前記撮影位置情報に基づいて調整する倍率調整手段を備えることを特徴とする放射線変換器。
【請求項８】
請求項６記載の放射線変換器において、
前記撮影位置情報を受信する受信手段を備えることを特徴とする放射線変換器。
【請求項９】
請求項７記載の放射線変換器において、
前記画像情報及び前記撮影位置情報を処理装置に送信する送信手段を有し、
前記処理装置が前記画像情報の画像倍率を調整することを特徴とする放射線変換器。
【請求項１０】
被写体を透過した放射線を検出して画像情報に変換する放射線変換器が設置される撮影台において、
前記放射線変換器が装填されたことを検出する装填検出手段と、
装填される前記放射線変換器の前記被写体に対する撮影位置情報を保持する撮影位置情報保持手段と、
を備え、
前記画像情報の画像倍率が前記撮影位置情報によって調整されることを特徴とする撮影台。
【発明の詳細な説明】
【技術分野】
【０００１】
本発明は、異なる倍率で撮影された放射線画像の倍率を調整する放射線画像撮影システム、放射線変換器及び撮影台に関する。
【背景技術】
【０００２】
医療分野において、被写体に放射線を照射し、被写体を透過した放射線を放射線変換パネルに導いて放射線画像を撮影する撮影装置が広汎に使用されている。
【０００３】
この場合、放射線変換パネルとして、蛍光体に放射線画像としての放射線エネルギを蓄積し、励起光を照射することで放射線画像を輝尽発光光として取り出すことのできる蓄積性蛍光体パネルが知られている。放射線画像が記録された蓄積性蛍光体パネルは、読取装置に供給して読取処理を行うことで、可視画像としての放射線画像を得ることができる。
【０００４】
また、手術室等の医療現場においては、患者に対して迅速且つ的確な処置を施すため、放射線変換パネルから直ちに放射線画像情報を読み出して表示できることが要求される。このような要求に対応可能な放射線変換パネルとして、放射線を直接電気信号に変換し、あるいは、放射線をシンチレータで可視光に変換した後、電気信号に変換して読み出す固体検出素子を用いた放射線変換パネルが開発されている。
【０００５】
これらの放射線変換パネルを使用して放射線画像を撮影する撮影装置には、被写体である患者の状態や、撮影部位等の撮影条件に応じた仕様形態の異なる種々のものがあり、それぞれが撮影装置の仕様形態に対応した処理装置によって制御される。これらの撮影装置及び処理装置を院内ネットワークを介して放射線科情報システム（ＲＩＳ）に接続し、ＲＩＳで設定した患者情報、撮影方法、撮影部位、放射線の照射線量を規定する撮影条件等を処理装置に供給し、対応する撮影装置を用いて放射線画像の撮影を行うようにしたシステムがある（特許文献１参照）。
【０００６】
このシステムを用いて、例えば、同じ患者の注目部位を定期的に撮影し、経過観察する場合には、本来、同じ撮影装置で且つ同一撮影条件で撮影することが望ましいが、患者の状態や、撮影装置の利用状況によっては、同一の撮影装置で撮影できない場合がある。例えば、歩行困難な患者の場合には、ベッドに横たわった状態で撮影し、後日、同一患者が歩行可能となった場合に立位状態で撮影した場合には、撮影装置が異なることになる。かかる場合において、異なる撮影装置で撮影された放射線画像は、被写体と放射線変換パネルとの距離が異なっていると、得られた放射線画像の倍率が相違し、そのままでは放射線画像同士の正確な対比が困難となる。
【０００７】
なお、通常撮影用の通常Ｘ線源と拡大撮影用の小焦点Ｘ線源とを用意し、被写体の注目部位に対応してＸ線源を切り替えることで撮影倍率を変更するようにした装置（特許文献２参照）が知られている。
【０００８】
【特許文献１】特開２００６−２４７１３７号公報
【特許文献２】特開２００５−２７０２０１号公報
【発明の開示】
【発明が解決しようとする課題】
【０００９】
しかしながら、特許文献２に開示された従来技術は、被写体の注目部位に応じて異なる倍率で撮影し表示するだけであり、異なる撮影装置を用いて撮影された放射線画像同士を一致させることを意図したものでもない。
【００１０】
本発明の目的は、異なる撮影台を用いて撮影された画像情報の倍率を一致させることができる放射線変換器、撮影台及び放射線画像撮影システムを提供することを目的とする。
【課題を解決するための手段】
【００１１】
本発明の放射線画像撮影システムは、撮影台に設置され、被写体を透過した放射線を検出して画像情報に変換する放射線変換器の前記被写体に対する撮影位置情報を保持する撮影位置情報保持手段と、
前記撮影位置情報保持手段より前記撮影位置情報を取得する撮影位置情報取得手段と、
取得した前記撮影位置情報に基づいて、前記画像情報の画像倍率を調整する倍率調整手段と、
を備えることを特徴とする放射線画像撮影システム。
【００１２】
また、本発明の放射線変換器は、被写体を透過した放射線を検出して画像情報に変換する放射線変換器において、
撮影台に設置される前記放射線変換器の前記被写体に対する撮影位置情報を保持する撮影位置情報保持手段を備え、
前記画像情報の画像倍率が前記撮影位置情報によって調整されることを特徴とする。
【００１３】
また、本発明の撮影台は、被写体を透過した放射線を検出して画像情報に変換する放射線変換器が設置される撮影台において、
前記放射線変換器が装填されたことを検出する装填検出手段と、
装填される前記放射線変換器の前記被写体に対する撮影位置情報を保持する撮影位置情報保持手段と、
を備え、
前記画像情報の画像倍率が前記撮影位置情報によって調整されることを特徴とする。
【発明の効果】
【００１４】
本発明によれば、異なる撮影台を用いて撮影された画像情報の撮影倍率を、被写体に対する放射線変換器の撮影位置情報に基づいて一致させることができ、これにより、画像情報を容易に比較して適切な評価を行うことができる。
【発明を実施するための最良の形態】
【００１５】
図１は、本発明の第１実施形態の放射線画像撮影システム１０の構成を示す。放射線画像撮影システム１０は、病院内の医療事務処理を管理する医事情報システム１２（ＨＩＳ：Ｈｏｓｐｉｔａｌ  Ｉｎｆｏｒｍａｔｉｏｎ  Ｓｙｓｔｅｍ）と、ＨＩＳ１２の管理下において、放射線科での放射線画像の撮影処理を管理する放射線科情報システム１４（ＲＩＳ：Ｒａｄｉｏｌｏｇｙ  Ｉｎｆｏｒｍａｔｉｏｎ  Ｓｙｓｔｅｍ）と、放射線科の撮影室に隣接する処理室に設置され、仕様形態の異なる各種撮影装置を管理制御するコンソール（処理装置）１６と、第１撮影装置１８と、第２撮影装置２０と、第３撮影装置２２とを備え、これらが後述する院内ネットワーク２４によって相互に接続されている。院内ネットワーク２４には、必要に応じてさらに他のコンソール、撮影装置等を接続することができる。
【００１６】
コンソール１６は、ＨＩＳ１２を用いて設定した患者の氏名、性別、年齢等の患者情報、ＲＩＳ１４を用いて医師又は技師が設定した当該患者に対する放射線画像の撮影方法、撮影部位、撮影に使用する撮影装置等の撮影指示情報を院内ネットワーク２４を介して取得する。
【００１７】
第１撮影装置１８は、放射線源２６と、撮影台２８とを備え、前記撮影台２８上に電子カセッテ（放射線変換器）６０が載置される。また、第２撮影装置２０は、放射線源３０と、撮影台３２とを備え、撮影台３２には電子カセッテ６０を装填するためのスロット３４が撮影台３２の上面から距離Ｌ１の位置に設けられる。さらに、第３撮影装置２２は、放射線源３６と、撮影台３８とを備え、撮影台３８には電子カセッテ６０を装填するためのスロット４０が撮影台３８の上面から距離Ｌ２の位置に設けられている。
【００１８】
図２は、コンソール１６、第１撮影装置１８、第２撮影装置２０、第３撮影装置２２の構成ブロック図である。
【００１９】
コンソール１６の制御部４２は、院内ネットワーク２４を介して、ＨＩＳ１２、ＲＩＳ１４、第１撮影装置１８、第２撮影装置２０、第３撮影装置２２との間で必要な情報の送受信を行う。
【００２０】
コンソール１６は、操作設定部４４と、操作設定部４４を用いて撮影指示情報を設定し、あるいは、ＲＩＳ１４で設定された撮影指示情報を受け取り、撮影指示情報メモリ４６に記憶させる撮影指示情報設定部４８と、第１撮影装置１８、第２撮影装置２０、第３撮影装置２２から取得した放射線画像情報に対する画像処理を行う画像処理部５０と、放射線画像情報を記憶する画像メモリ５２と、画像処理された放射線画像情報を表示する表示部５４とを備える。
【００２１】
第１撮影装置１８は、被写体５６の放射線画像を撮影する臥位撮影装置であり、放射線源制御部５８によって制御される放射線源２６と、放射線源２６に対向して配置される撮影台２８と、撮影台２８上に載置される電子カセッテ６０とから構成される。
【００２２】
第２撮影装置２０は、放射線源制御部５８によって制御される放射線源３０と、放射線源３０に対向して配置される撮影台３２と、撮影台３２のスロット３４に装填される電子カセッテ６０とから構成される。
【００２３】
撮影台３２は、電子カセッテ６０から送信される信号に基づいてスロット３４への電子カセッテ６０の装填状態を検出する装填検出部（撮影台位置情報取得手段、撮影台特定手段）６２と、電子カセッテ６０により放射線画像情報の倍率調整をするために必要な撮影位置情報、例えば、撮影台３２の上面から電子カセッテ６０の撮影面までの距離Ｌ１を記憶する撮影位置情報メモリ（撮影位置情報保持手段）６４と、スロット３４への電子カセッテ６０の装填状態を検出するために電子カセッテ６０から送信される信号を受信するとともに、装填検出部６２によって電子カセッテ６０の装填状態を検出した場合に、電子カセッテ６０に対して撮影位置情報メモリ６４に記憶されている撮影位置情報を送信する送受信部６６とを備える。
【００２４】
第３撮影装置２２は、放射線源制御部５８によって制御される放射線源３６と、放射線源３６に対向して配置される撮影台３８と、撮影台３８のスロット４０に装填される電子カセッテ６０とから構成される。なお、撮影台３８には、撮影台３２と同様に、装填検出部６２、撮影位置情報メモリ６４、送受信部６６が設けられている。
【００２５】
図３は、電子カセッテ６０の内部構成図である。電子カセッテ６０は、放射線Ｘを透過させる材料からなるケーシング６８を備える。ケーシング６８の内部には、放射線Ｘが照射される照射面側から、被写体５６による放射線Ｘの散乱線を除去するグリッド６９、被写体５６を透過した放射線Ｘを検出する放射線変換パネル７０、及び、放射線Ｘのバック散乱線を吸収する鉛板７１が順に配設される。
【００２６】
ケーシング６８の内部には、電子カセッテ６０の電源であるバッテリ１００と、バッテリ１００から供給される電力により放射線変換パネル７０の駆動制御や、放射線画像情報の処理等を行う処理部１０２と、撮影台３２のスロット３４又は撮影台３８のスロット４０への電子カセッテ６０の装填状態を検出するための信号を送信するとともに、撮影位置情報メモリ６４に記憶されている撮影位置情報を撮影台３２又は３８から受信する送受信部（送信手段）１０４とを備える。
【００２７】
図４は、スロット３４、４０に収納される放射線変換パネル７０の回路構成及び処理部１０２の構成ブロック図を示す。
【００２８】
処理部１０２は、送受信部１０４で受信した撮影位置情報を記憶する撮影位置情報メモリ１０６と、取得した放射線画像情報を記憶する画像メモリ１０８と、前記画像メモリ１０８に記憶された放射線画像情報を撮影位置情報メモリ１０６に記憶された撮影位置情報に基づいて倍率調整する倍率調整部（倍率調整手段）１１０と、これらを制御するとともに後述するライン走査駆動部８４とマルチプレクサ８６を制御する制御部１１２とを備える。なお、処理部１０２及び送受信部１０４には、放射線Ｘが照射されることによる損傷を回避するため、ケーシング６８の照射面側に鉛板等を配設しておくことが好ましい。
【００２９】
放射線変換パネル７０は、放射線を感知して電荷を発生させるアモルファスセレン（ａ−Ｓｅ）等の物質からなる光電変換層７２を行列状の薄膜トランジスタ（ＴＦＴ：Ｔｈｉｎ  Ｆｉｌｍ  Ｔｒａｎｓｉｓｔｏｒ）７４のアレイの上に配置した構造を有し、発生した電荷を蓄積容量７６に蓄積した後、各行毎にＴＦＴ７４を順次オンにして、電荷を画像信号として読み出す。図４では、光電変換層７２及び蓄積容量７６からなる１つの画素７８と１つのＴＦＴ７４との接続関係のみを示し、その他の画素７８の構成については省略している。なお、アモルファスセレンは、高温になると構造が変化して機能が低下してしまうため、所定の温度範囲内で使用する必要がある。従って、撮影台３２、３８内に放射線変換パネル７０を冷却する手段を配設することが好ましい。
【００３０】
各画素７８に接続されるＴＦＴ７４には、行方向と平行に延びるゲート線８０と、列方向と平行に延びる信号線８２とが接続される。各ゲート線８０は、ライン走査駆動部８４に接続され、各信号線８２は、読取回路を構成するマルチプレクサ８６に接続される。
【００３１】
ゲート線８０には、行方向に配列されたＴＦＴ７４をオンオフ制御する制御信号Ｖｏｎ、Ｖｏｆｆがライン走査駆動部８４から供給される。この場合、ライン走査駆動部８４は、ゲート線８０を切り替える複数のスイッチＳＷ１と、スイッチＳＷ１の１つを選択する選択信号を出力するアドレスデコーダ８８とを備える。アドレスデコーダ８８には、制御部１１２からアドレス信号が供給される。
【００３２】
また、信号線８２には、列方向に配列されたＴＦＴ７４を介して各画素７８の蓄積容量７６に保持されている電荷が流出する。この電荷は、増幅器９２によって増幅される。増幅器９２には、サンプルホールド回路９４を介してマルチプレクサ８６が接続される。マルチプレクサ８６は、信号線８２を切り替える複数のスイッチＳＷ２と、スイッチＳＷ２の１つを選択する選択信号を出力するアドレスデコーダ９６を備える。アドレスデコーダ９６には、制御部１１２からアドレス信号が供給される。マルチプレクサ８６には、Ａ／Ｄ変換器９８が接続され、Ａ／Ｄ変換器９８によってデジタル信号に変換された放射線画像情報が制御部１１２を介して画像メモリ１０８に記憶され、制御部１１２は、取得した放射線画像情報を送受信部１０４から院内ネットワーク２４を介して、コンソール１６に供給する。
【００３３】
なお、院内ネットワーク２４には、放射線変換パネル７０又は蓄積性蛍光体パネルＰを使用した立位撮影装置を接続することができる。また、院内ネットワーク２４には、他の仕様形態の撮影装置、例えば、ＣＴ装置、ＭＲ装置を接続することができるとともに、これらの撮影装置を制御するコンソールを接続することができる。
【００３４】
本発明の第１実施形態の放射線画像撮影システム１０は、基本的には以上のように構成されるものであり、次にその動作について説明する。
【００３５】
先ず、ＨＩＳ１２を用いて、患者の氏名、性別、年齢等の患者情報が設定され、次いで、当該患者情報に関連させて、放射線画像の撮影方法、撮影部位、撮影に使用する撮影装置等の撮影指示情報がＲＩＳ１４を用いて設定される。
【００３６】
放射線科に設置されているコンソール１６の制御部４２は、院内ネットワーク２４を介して、ＲＩＳ１４から患者情報及び撮影指示情報を取得する。また、技師は、コンソール１６の操作設定部４４を用い、必要に応じて撮影指示情報の変更、設定を行う。例えば、ＲＩＳ１４を用いて医師が設定した撮影装置を、撮影部位や患者の状態に対応した撮影装置に変更する。撮影指示情報設定部４８は、取得した患者情報及び撮影指示情報、又は、変更若しくは新たに設定された撮影指示情報を一旦撮影指示情報メモリ４６に記憶させる。
【００３７】
次いで、コンソール１６の撮影指示情報設定部４８は、撮影指示情報メモリ４６から患者情報及び撮影指示情報を読み出し、撮影指示情報に従い、指定された撮影装置を用いた放射線画像の撮影処理を遂行する。
【００３８】
そこで、先ず、コンソール１６を用いて第１撮影装置１８を制御し、被写体５６の撮影を行う場合について説明する。第１撮影装置１８では、撮影台２８と被写体５６との間に電子カセッテ６０が載置され、被写体５６と電子カセッテ６０とが密着した状態での密着撮影となる。
【００３９】
コンソール１６は、第１撮影装置１８の放射線源制御部５８に対し、撮影指示情報に含まれる撮影条件である管電圧、管電流及び放射線の照射時間を設定する。
【００４０】
次いで、第１撮影装置１８の所定位置に被写体５６を位置決めした後、図示しない曝射スイッチを操作することにより、撮影を開始する。放射線源制御部５８は、設定された撮影条件に従って放射線源２６を駆動制御し、放射線Ｘを被写体５６に照射する。被写体５６を透過した放射線Ｘは、放射線変換パネル７０に照射される。
【００４１】
放射線変換パネル７０（図４）を構成する各画素７８の光電変換層７２は、入射した放射線Ｘを電気信号に変換し、その電気信号が蓄積容量７６に電荷として保持される。次いで、各蓄積容量７６に保持された被写体５６の放射線画像情報である電荷情報は、制御部１１２からライン走査駆動部８４及びマルチプレクサ８６に供給されるアドレス信号に従って読み出される。
【００４２】
すなわち、ライン走査駆動部８４のアドレスデコーダ８８は、制御部１１２から供給されるアドレス信号に従って選択信号を出力してスイッチＳＷ１の１つを選択し、対応するゲート線８０に接続されたＴＦＴ７４のゲートに制御信号Ｖｏｎを供給する。一方、マルチプレクサ８６のアドレスデコーダ９６は、制御部１１２から供給されるアドレス信号に従って選択信号を出力してスイッチＳＷ２を順次切り替え、ライン走査駆動部８４によって選択されたゲート線８０に接続された各画素７８の蓄積容量７６に保持された電荷情報である放射線画像情報を信号線８２を介して順次読み出す。
【００４３】
放射線変換パネル７０の選択されたゲート線８０に接続された各画素７８の蓄積容量７６から読み出された放射線画像情報は、各増幅器９２によって増幅された後、各サンプルホールド回路９４によってサンプリングされ、マルチプレクサ８６を介してＡ／Ｄ変換器９８に供給され、デジタル信号に変換された後、一旦画像メモリ１０８に記憶される。次いで、放射線画像情報は、制御部１１２に接続された送受信部１０４からコンソール１６に送信される。
【００４４】
同様にして、ライン走査駆動部８４のアドレスデコーダ８８は、制御部１１２から供給されるアドレス信号に従ってスイッチＳＷ１を順次切り替え、各ゲート線８０に接続されている各画素７８の蓄積容量７６に保持された電荷情報である放射線画像情報を信号線８２を介して読み出し、マルチプレクサ８６、Ａ／Ｄ変換器９８を経てデジタル信号に変換され、制御部１１２に接続された送受信部１０４からコンソール１６に送信される。
【００４５】
コンソール１６では、前記放射線画像情報が画像処理部５０によって画像処理されて画像メモリ５２に記憶され、次いで、表示部５４に表示される。技師は、表示部５４に表示された放射線画像情報を確認し、例えば、再撮影が必要か否かの判断を行う。適切な放射線画像情報であると判断された場合、当該放射線画像情報は院内ネットワーク２４を介してＲＩＳ１４に送信され、医師による読影診断に供せられる。
【００４６】
次に、コンソール１６を用いて第２撮影装置２０を制御し、同じ被写体５６の胸部撮影を行う場合について説明する。
【００４７】
先ず、撮影台３２のスロット３４に電子カセッテ６０を装填する。電子カセッテ６０が装填されると、電子カセッテ６０の送受信部１０４から発振される信号を第２撮影装置２０の送受信部６６が受信する。装填検出部６２は、送受信部６６が受信した信号に基づき、スロット３４に電子カセッテ６０が装填されたことを検出する。電子カセッテ６０の装填が検出されると、撮影位置情報メモリ６４に記憶されている撮影位置情報が送受信部６６から電子カセッテ６０に送信され、撮影位置情報メモリ１０６に記憶される。
【００４８】
以後、上述した第１撮影装置１８による密着撮影と同様に、コンソール１６は、第２撮影装置２０の放射線源制御部５８に対し、撮影指示情報に含まれる撮影条件である管電圧、管電流及び放射線の照射時間を設定し、第２撮影装置２０の所定位置に被写体５６を位置決めした後、図示しない曝射スイッチを操作することにより、撮影を開始する。放射線源制御部５８は、設定された撮影条件に従って放射線源３０を駆動制御し、放射線Ｘを被写体５６に照射する。被写体５６を透過した放射線Ｘは、放射線変換パネル７０に照射される。
【００４９】
放射線変換パネル７０では、第２撮影装置２０による密着撮影と同様な処理がなされ、Ａ／Ｄ変換器９８でデジタル信号に変換されて、制御部１１２によって画像メモリ１０８に放射線画像情報として記憶される。次いで、処理部１０２では、倍率調整部１１０が、撮影位置情報メモリ１０６に記憶されている撮影位置情報に基づいて倍率を算出して、画像メモリ１０８に記憶されている放射線画像情報の倍率を調整する。
【００５０】
この場合、第１撮影装置１８によって撮影された放射線画像情報の倍率を「１」とし、第１撮影装置１８の放射線源２６と電子カセッテ６０との距離をＬ０とすると、第２撮影装置２０によって撮影された放射線画像情報の倍率は、（Ｌ０＋Ｌ１）／Ｌ０となる。従って、倍率調整部１１０は、画像メモリ１０８に記憶されている放射線画像情報をＬ０／（Ｌ０＋Ｌ１）倍した後に、調整後の放射線画像情報がコンソール１６に送信される。コンソール１６では、前記放射線画像情報が画像処理部５０によって画像処理されて画像メモリ５２に記憶される。
【００５１】
ここで、画像メモリ５２に、第１撮影装置１８によって撮影された密着撮影の放射線画像情報と、第２撮影装置２０によって撮影された放射線画像情報とが記憶されている場合、第２撮影装置２０によって撮影された画像の放射線画像情報は、第１撮影装置１８で撮影された放射線画像と等倍になるように、電子カセッテ６０の倍率調整部１１０で調整されている。従って、同一の被写体５６の放射線画像を異なる撮影装置で異なる倍率で撮影した場合であっても、第１撮影装置１８によって撮影された密着撮影と等倍で表示部５４に表示することができる。
【００５２】
なお、第３撮影装置２２で被写体５６の胸部撮影を行う場合、第２撮影装置２０と同様に撮影を行った後、倍率が調整され、表示部５４に第１撮影装置１８によって撮影された密着撮影と等倍に表示することができる。
【００５３】
次に、本発明の第２実施形態の放射線画像撮影システム１０Ａについて説明する。
【００５４】
図５に示すように、放射線画像撮影システム１０Ａを構成するコンソール１６Ａは、第１撮影装置１８、第２撮影装置２０、第３撮影装置２２から取得した放射線画像情報に対する倍率調整を含む画像処理を行う画像処理部５０Ａと、放射線画像情報の倍率調整をするための倍率の算出に用いる撮影位置情報を記憶する撮影位置情報メモリ５５とを備える。また、図６に示すように、電子カセッテ６０Ａの処理部１０２Ａは、図４に示す電子カセッテ６０の処理部１０２に対して、撮影位置情報メモリ１０６、画像メモリ１０８を備え、倍率調整部１１０を有しない構成となっている。
【００５５】
次に、コンソール１６Ａ及び電子カセッテ６０Ａを用いて第２撮影装置２０を制御し、被写体５６の胸部撮影を行う場合について説明する。なお、コンソール１６及び電子カセッテ６０と同じ動作については、説明を省略する。
【００５６】
電子カセッテ６０Ａは、撮影位置情報メモリ１０６に記憶された第２撮影装置２０の撮影位置情報と、画像メモリ１０８に記憶された倍率未調整の放射線画像情報とをコンソール１６Ａに送信する。
【００５７】
コンソール１６Ａの制御部４２は、放射線画像情報を一旦画像メモリ５２Ａに記憶させるとともに、撮影位置情報を撮影位置情報メモリ５５に記憶させる。画像処理部５０Ａは、撮影位置情報メモリ５５に記憶されている撮影位置情報に基づいて倍率（Ｌ０／Ｌ０＋Ｌ１）を算出し、画像メモリ５２に記憶されている放射線画像情報の倍率を調整し、画像メモリ５２に記憶する。画像メモリ５２に記憶された放射線画像は、第１撮影装置１８で撮影された放射線画像と等倍に画像処理された放射線画像であり、必要に応じて、第１撮影装置１８で撮影された放射線画像と第２撮影装置２０で撮影された放射線画像とが表示部５４に表示される。
【００５８】
なお、撮影台３２、３８の撮影位置情報メモリ６４に記憶される撮影位置情報は、電子カセッテ６０を介さずに、撮影台３２、３８から直接コンソール１６Ａに送信して撮影位置情報メモリ５５に記憶し、この記憶された撮影位置情報に基づいて画像処理部５０Ａによって倍率調整をしてもよい。
【００５９】
また、撮影位置情報メモリ５５に撮影台３２、３８に対する撮影位置情報を予め記憶しておき、この記憶された撮影位置情報を用いて放射線画像情報の倍率調整を行うようにしてもよい。すなわち、電子カセッテ６０Ａを撮影台３２のスロット３４に装填した際、撮影台３２の撮影位置情報メモリ６４、あるいは、電子カセッテ６０Ａの撮影位置情報メモリ１０６から撮影台３２の識別符号を送信し、この識別符号に基づいて撮影位置情報メモリ５５に記憶されている撮影位置情報を特定して倍率を算出し、画像処理部５０Ａによって倍率調整してもよい。
【００６０】
また、撮影台３２、３８の撮影位置情報メモリ６４から撮影位置情報を取得せずに、技師がコンソール１６から撮影台を指定し、あるいは、ＲＩＳ１４から送信される撮影指示情報により撮影台を指定して撮影位置情報を特定することもできる。なお、かかる場合には、第２撮影装置２０、第３撮影装置２２は装填検出部６２、撮影位置情報メモリ６４、送受信部６６を備えなくてもよい。
【００６１】
さらに、放射線画像撮影システム１０、１０Ａでは、第２撮影装置２０、第３撮影装置２２に電子カセッテ６０の装填状態を検出するための装填検出部６２が設けられているが、電子カセッテ６０の処理部１０２内に装填検出部を設けて、電子カセッテ６０の装填状態を検出するようにしてもよい。
【００６２】
さらにまた、第２撮影装置２０において、撮影台３２と被写体５６との間に電子カセッテ６０を載置し、被写体５６と電子カセッテ６０とが密着した状態で密着撮影をした放射線画像に対して、第２撮影装置２０のスロット３４に電子カセッテ６０を装填して撮影した放射線画像を等倍表示することもできる。なお、かかる場合の密着撮影時には、操作設定部４４を操作して、撮影位置情報メモリに予め記憶されている撮影位置情報を取得して、等倍表示の処理がされる。また、第２撮影装置２０の場合と同様に、第３撮影装置２２における密着撮影した場合の放射線画像と、第３撮影装置２２のスロット４０に電子カセッテ６０を装填した撮影した場合の放射線画像とを等倍表示することもできる。
【００６３】
また、第１撮影装置１８によって撮影された密着撮影の放射線画像と等倍表示することについて説明したが、第２撮影装置２０と第３撮影装置２２で撮影された放射線画像を互いに等倍表示することもできる。
【００６４】
さらに、例えば、第２撮影装置２０のスロット３４が電子カセッテ６０の装填位置を変更できる構造である場合、撮影倍率が異なることになるが、この場合においても、異なる装填位置で撮影した放射線画像を互いに等倍表示することもできる。
【００６５】
なお、本発明は、上述した実施形態に限定されるものではなく、本発明の主旨を逸脱しない範囲で自由に変更できることは勿論である。
【図面の簡単な説明】
【００６６】
【図１】本発明の第１実施形態の放射線画像撮影システムの構成図である。
【図２】図１に示すコンソール、第１撮影装置、第２撮影装置及び第３撮影装置を含む構成ブロック図である。
【図３】電子カセッテの内部構成図である。
【図４】本発明の第１実施形態の放射線変換パネルの回路構成図である。
【図５】本発明の第２実施形態の放射線画像撮影システムに係るコンソール、第１撮影装置、第２撮影装置及び第３撮影装置を含む構成ブロック図である。
【図６】本発明の第２実施形態の放射線画像撮影システムに係る電子カセッテの構成ブロック図である。
【符号の説明】
【００６７】
１０、１０Ａ…放射線画像撮影システム  １２…ＨＩＳ
１４…ＲＩＳ                          １６…コンソール
１８…第１撮影装置                    ２０…第２撮影装置
２２…第３撮影装置                    ２４…院内ネットワーク
４２、１１２…制御部                  ４４…操作設定部
４６…撮影指示情報メモリ              ４８…撮影指示情報設定部
５０、５０Ａ…画像処理部              ５２、１０８…画像メモリ
５４…表示部                          ５５、６４、１０６…撮影位置情報メモリ
５８…放射線源制御部                  ６０、６０Ａ…電子カセッテ
６２…装填検出部                      ６６…送受信部
１０２、１０２Ａ…処理部              １０４…送受信部
１１０…倍率調整部
【図１】
2010046130.tif 000003
【図２】
2010046130.tif 000004
【図３】
2010046130.tif 000005
【図４】
2010046130.tif 000006
【図５】
2010046130.tif 000007
【図６】
2010046130.tif 000008